(57)【要約】【課題】部品点数の削減及び薄型化を図る。【解決手段】中央に軸部１１ａが突設され、その回りに電極パターン２３が形成されたベース１１と、ベース１１上に構成された複数の周辺スイッチ２１と、周辺スイッチ２１上に配置されたプッシャ１４と、円筒部１７ａの開口部１７ｋが軸部１１ａに挿通され、フランジ部１７ｂがプッシャ１４上に配置された回転体１７と、回転体１７に取り付けられて電極パターン２３と摺接する接点部材１５と、カバー１８と、円筒部１７ａに取り付け一体化された操作部材２０とよりなる。開口部１７ｋは軸部１１ａと対向する部分の径が上方に向って拡径され、カバー１８の平板部１８ａと対向するフランジ部１７ｂの面は外周側に向って平板部１８ａから離れる傾斜面１７ｍとされる。【選択図】図２
2011210528.tif 000002
【特許請求の範囲】
【請求項１】
回転操作及び傾倒操作される操作部材を有する複合操作型入力装置であって、
中央に軸部が突設され、その軸部の回りの円周上に電極パターンが形成されたベースと、
前記電極パターンの回りの円周上に配列されて前記ベース上に構成された複数の周辺スイッチと、
前記ベースの周壁部の内側に位置して前記各周辺スイッチ上に配置されたプッシャと、
円筒部とその一端側に形成されたフランジ部とよりなり、前記円筒部の前記一端側の開口部が前記軸部に挿通され、前記フランジ部の外周側が前記プッシャ上に配置された回転体と、
前記回転体に取り付けられて前記電極パターンと摺接する接点部材と、
前記ベースの、前記周壁部の上面側を蓋するカバーと、
前記カバーの前記周壁部の上面側に位置する平板部の中央に設けられた開口に位置する前記円筒部に取り付け一体化された前記操作部材とよりなり、
前記開口部は前記軸部の周面と対向する部分の径が前記一端と反対の他端側に向って徐々に拡径されており、
前記フランジ部の前記平板部と対向する面は外周側に向って前記平板部から徐々に離れる傾斜面とされていることを特徴とする複合操作型入力装置。
【請求項２】
回転操作及び傾倒操作される操作部材を有する複合操作型入力装置であって、
中央に軸部が突設され、その軸部の回りの円周上に電極パターンが形成されたベースと、
前記電極パターンの回りの円周上に配列されて前記ベース上に構成された複数の周辺スイッチと、
前記ベースの周壁部の内側に位置して前記各周辺スイッチ上に配置されたプッシャと、
円筒部とその一端側に形成されたフランジ部とよりなり、前記円筒部の前記一端側の開口部が前記軸部に挿通された回転体と、
前記回転体に取り付けられて前記電極パターンと摺接する接点部材と、
前記ベースの、前記周壁部の上面側を蓋するカバーと、
前記カバーの前記周壁部の上面側に位置する平板部の中央に設けられた開口に位置する前記円筒部に取り付け一体化された前記操作部材とよりなり、
前記操作部材の外周部は前記平板部に形成された穴を挿通して外部に突出する前記プッシャの突起上に位置され、
前記開口部は前記軸部の周面と対向する部分の径が前記一端と反対の他端側に向って徐々に拡径されており、
前記フランジ部の前記平板部と対向する面は外周側に向って前記平板部から徐々に離れる傾斜面とされていることを特徴とする複合操作型入力装置。
【請求項３】
回転操作及び傾倒操作される操作部材を有する複合操作型入力装置であって、
中央に軸部が突設され、その軸部の回りの円周上に電極パターンが形成されたベースと、
前記電極パターンの回りの円周上に配列されて前記ベース上に構成された複数の周辺スイッチと、
前記ベースの周壁部の内側に位置して前記各周辺スイッチ上に配置されたプッシャと、
円筒部とその一端側に形成されたフランジ部とよりなり、前記円筒部の前記一端側の開口部が前記軸部に挿通され、前記フランジ部の外周側が前記プッシャ上に配置された回転体と、
前記回転体に取り付けられて前記電極パターンと摺接する接点部材と、
前記ベースの、前記周壁部の上面側を蓋するカバーと、
前記カバーの前記周壁部の上面側に位置する平板部の中央に設けられた開口に位置する前記円筒部に取り付け一体化された前記操作部材とよりなり、
前記操作部材の外周部は前記平板部に形成された穴を挿通して外部に突出する前記プッシャの突起上に位置され、
前記開口部は前記軸部の周面と対向する部分の径が前記一端と反対の他端側に向って徐々に拡径されており、
前記フランジ部の前記平板部と対向する面は外周側に向って前記平板部から徐々に離れる傾斜面とされていることを特徴とする複合操作型入力装置。
【請求項４】
請求項１乃至３記載のいずれかの複合操作型入力装置において、
前記平板部と対向する前記傾斜面は内周側において前記平板部と当接していることを特徴とする複合操作型入力装置。
【請求項５】
請求項４記載の複合操作型入力装置において、
前記傾斜面と前記平板部との当接部は、前記操作部材の回転操作により回転する前記回転体の摺動部をなし、かつ前記操作部材の傾倒操作により傾倒する前記回転体の支点をなすことを特徴とする複合操作型入力装置。
【請求項６】
請求項１乃至５記載のいずれかの複合操作型入力装置において、
前記周辺スイッチは前記ベースに形成された固定接点と、その固定接点上に配置されたドーム状をなす可動接点とよりなり、
前記可動接点はその外形形状が略長円形とされていることを特徴とする複合操作型入力装置。
【請求項７】
請求項１乃至６記載のいずれかの複合操作型入力装置において、
前記フランジ部の外周面に凹凸が周方向に配列形成され、
前記凹凸と係合するバネが前記ベースに配置されていることを特徴とする複合操作型入力装置。
【請求項８】
請求項１乃至７記載のいずれかの複合操作型入力装置において、
前記操作部材の中央に開口が形成されて、その開口及びその開口と連通する前記円筒部の内側にボタンが配置され、
前記軸部は円筒状とされて、その内側の前記ベース上に前記ボタンによって押下操作される中央スイッチが構成されていることを特徴とする複合操作型入力装置。
【発明の詳細な説明】
【技術分野】
【０００１】
この発明は回転操作及び傾倒操作される操作部材を有し、回転操作と傾倒操作の両方を行える複合操作型入力装置に関する。
【背景技術】
【０００２】
図１８はこの種の複合操作型入力装置の従来例として、特許文献１に記載されている構成を示したものであり、図１９はその分解斜視図を示したものである。
【０００３】
この例では複合操作型入力装置は操作部材１と、操作体２と、回転体４と、押圧部材５と、ケース体を構成する上ケース体３、中ケース体６及び下ケース体７とを備えている。
【０００４】
操作部材１は略円板状をなし、中央には押圧操作部８を配置できるように開口部１ａが形成されている。操作部材１の周縁部には係合切り欠き１ｂが周方向に複数設けられている。
【０００５】
操作体２は略円板状をなし、周縁部には操作部材１の係合切り欠き１ｂに係合する係合突起２ａが周方向に複数設けられている。中央部には押圧操作部８を配置できるように開口部２ｂが形成されている。操作体２は回転体４を取り付けるための取り付け部２ｃと、操作部材１の傾倒操作に伴い傾倒する傾倒部２ｄとを有し、内周側の取り付け部２ｃと外周側の傾倒部２ｄは操作体２の周方向に延びる複数の弾性腕２ｅによって連結されている。
【０００６】
回転体４は薄板状とされ、外周面には凹凸が形成されている。中央部には開口部４ａが形成されている。上面には回転規制部４ｂとフック部４ｃが突出形成されており、これら回転規制部４ｂとフック部４ｃが操作体２の取り付け部２ｃに係合されて操作体２と回転体４とが一体化されるものとなっている。
【０００７】
上ケース体３の中央部には回転体４のフック部４ｃ及び回転規制部４ｂを操作体２側に露出させるための開口部３ａが形成されている。さらに、複数の挿通孔３ｂが形成されており、押圧部材５の押圧体５ａを挿通させて操作体２側に露出させ、操作体２の傾倒に伴って押圧体５ａを押圧できるようにしている。
【０００８】
中ケース体６の中央部には略円柱状の内周壁部６ａが形成され、外周側には外周壁部６ｂが略円形状をなすように形成されている。内周壁部６ａと外周壁部６ｂとの間には導電パターンが形成され、回転体４の下面に設けられる摺動子とで回転体４の回転を検出する回転検出手段が構成される。また、外周壁部６ｂには収納部６ｃが形成され、この収納部６ｃにはバネ体６ｄが納められる。球体６ｅはバネ体６ｄによって回転体４の外周面の凹凸に向って付勢される。内周壁部６ａには周方向に４つの切り欠き６ｆが形成されており、この切り欠き６ｆには球体６ｇが配置される。球体６ｇは内周壁部６ａと回転体４の内周面との間に配置されることになる。
【０００９】
下ケース体７には押圧体５ａと対向する位置に固定接点７ａ及び可動接点７ｂが設けられている。押圧体５ａによって可動接点７ｂが押圧されることにより、可動接点７ｂと固定接点７ａとが導通し、押圧体５ａを押圧する操作体２の傾倒動作を検出することができる。
【００１０】
押圧部材５は略円柱状の４つの押圧体５ａを有し、４つの押圧体５ａは連結部５ｂによりリング状に連結され、一体化されている。
【００１１】
図１８に示したように操作体２の上面には操作部材１が固定され、操作体２の取り付け部２ｃの下側には回転体４が取り付け固定される。操作部材１を一方向に傾倒操作すると、操作体２は外周側の傾倒部２ｄが傾倒し、押圧部材５を押圧して可動接点７ｂと固定接点７ａとを導通させる。この際、弾性腕２ｅが上下方向に変形するため、取り付け部２ｃにおいては上下方向の変位はほとんどなく、従って回転体４は傾倒しない。即ち、この例では操作体２を取り付け部２ｃと傾倒部２ｄとを弾性腕２ｅで連結してなる構成としたことにより、操作部材１の傾倒操作を可能としている。
【先行技術文献】
【特許文献】
【００１２】
【特許文献１】特開２００９−７０６８４号公報
【発明の概要】
【発明が解決しようとする課題】
【００１３】
上述したように、図１８，１９に示した従来の複合操作型入力装置では傾倒操作を可能とすべく、弾性腕２ｅを備えた操作体２を操作部材１の下に配置した構成となっており、そのような操作体２を必要とする分、薄型化が阻害されるものとなっており、また部品点数が多くなっていた。
【００１４】
この発明の目的はこのような問題に鑑み、従来に比し、薄型化を図ることができ、かつ部品点数を削減することができるようにした複合操作型入力装置を提供することにある。
【課題を解決するための手段】
【００１５】
請求項１の発明によれば、回転操作及び傾倒操作される操作部材を有する複合操作型入力装置は、中央に軸部が突設され、その軸部の回りの円周上に電極パターンが形成されたベースと、前記電極パターンの回りの円周上に配列されてベース上に構成された複数の周辺スイッチと、ベースの周壁部の内側に位置して各周辺スイッチ上に配置されたプッシャと、円筒部とその一端側に形成されたフランジ部とよりなり、円筒部の前記一端側の開口部が前記軸部に挿通され、フランジ部の外周側がプッシャ上に配置された回転体と、回転体に取り付けられて前記電極パターンと摺接する接点部材と、ベースの周壁部の上面側を蓋するカバーと、カバーの前記周壁部の上面側に位置する平板部の中央に設けられた開口に位置する前記円筒部に取り付け一体化された操作部材とよりなり、前記開口部は前記軸部の周面と対向する部分の径が前記一端と反対の他端側に向って徐々に拡径されており、フランジ部の前記平板部と対向する面は外周側に向って平板部から徐々に離れる傾斜面とされる。
【００１６】
請求項２の発明によれば、回転操作及び傾倒操作される操作部材を有する複合操作型入力装置は、中央に軸部が突設され、その軸部の回りの円周上に電極パターンが形成されたベースと、前記電極パターンの回りの円周上に配列されてベース上に構成された複数の周辺スイッチと、ベースの周壁部の内側に位置して各周辺スイッチ上に配置されたプッシャと、円筒部とその一端側に形成されたフランジ部とよりなり、円筒部の前記一端側の開口部が前記軸部に挿通された回転体と、回転体に取り付けられて前記電極パターンと摺接する接点部材と、ベースの周壁部の上面側を蓋するカバーと、カバーの前記周壁部の上面側に位置する平板部の中央に設けられた開口に位置する前記円筒部に取り付け一体化された操作部材とよりなり、操作部材の外周部は前記平板部に形成された穴を挿通して外部に突出するプッシャの突起上に位置され、前記開口部は前記軸部の周面と対向する部分の径が前記一端と反対の他端側に向って徐々に拡径されており、フランジ部の前記平板部と対向する面は外周側に向って平板部から徐々に離れる傾斜面とされる。
【００１７】
請求項３の発明によれば、回転操作及び傾倒操作される操作部材を有する複合操作型入力装置は、中央に軸部が突設され、その軸部の回りの円周上に電極パターンが形成されたベースと、前記電極パターンの回りの円周上に配列されてベース上に構成された複数の周辺スイッチと、ベースの周壁部の内側に位置して各周辺スイッチ上に配置されたプッシャと、円筒部とその一端側に形成されたフランジ部とよりなり、円筒部の前記一端側の開口部が前記軸部に挿通され、フランジ部の外周側がプッシャ上に配置された回転体と、回転体に取り付けられて前記電極パターンと摺接する接点部材と、ベースの周壁部の上面側を蓋するカバーと、カバーの前記周壁部の上面側に位置する平板部の中央に設けられた開口に位置する前記円筒部に取り付け一体化された操作部材とよりなり、操作部材の外周部は前記平板部に形成された穴を挿通して外部に突出するプッシャの突起上に位置され、前記開口部は前記軸部の周面と対向する部分の径が前記一端と反対の他端側に向って徐々に拡径されており、フランジ部の前記平板部と対向する面は外周側に向って前記平板部から徐々に離れる傾斜面とされる。
【００１８】
請求項４の発明では請求項１乃至３のいずれかの発明において、前記平板部と対向する前記傾斜面は内周側において平板部と当接している。
【００１９】
請求項５の発明では請求項４の発明において、前記傾斜面と前記平板部との当接部は、操作部材の回転操作により回転する回転体の摺動部をなし、かつ操作部材の傾倒操作により傾倒する回転体の支点をなす。
【００２０】
請求項６の発明では請求項１乃至５のいずれかの発明において、周辺スイッチはベースに形成された固定接点と、その固定接点上に配置されたドーム状をなす可動接点とよりなり、可動接点はその外形形状が略長円形とされる。
【００２１】
請求項７の発明では請求項１乃至６のいずれかの発明において、フランジ部の外周面に凹凸が周方向に配列形成され、前記凹凸と係合するバネがベースに配置されている。
【００２２】
請求項８の発明では請求項１乃至７のいずれかの発明において、操作部材の中央に開口が形成されて、その開口及びその開口と連通する前記円筒部の内側にボタンが配置され、前記軸部は円筒状とされて、その内側のベース上にボタンによって押下操作される中央スイッチが構成される。
【発明の効果】
【００２３】
この発明では、ベースの軸部が挿通される回転体の開口部を上方に向って徐々に拡径し、さらに回転体のフランジ部の、カバーの平板部と対向する面を外周側に向って平板部から徐々に離れる傾斜面として、回転体の傾倒動作に必要なスペースを確保し、回転体の傾倒動作を可能としている。
【００２４】
従って、この発明によれば、従来のように弾性腕を備えた操作体を用いることなく、回転体と一体化されている操作部材を傾倒操作することができ、操作体が不要となる分、部品点数の削減が可能となり、かつ薄型化を図ることができる。
【図面の簡単な説明】
【００２５】
【図１】Ａはこの発明による複合操作型入力装置の第１の実施例を示す平面図、Ｂはその斜視図。
【図２】図１に示した複合操作型入力装置の断面図。
【図３】図１に示した複合操作型入力装置を分解して上方から見た斜視図。
【図４】図１に示した複合操作型入力装置を分解して下方から見た斜視図。
【図５】図１に示した複合操作型入力装置の組み立てを説明するための図。
【図６】図１に示した複合操作型入力装置の動作を説明するための図。
【図７】図１に示した複合操作型入力装置の動作を説明するための図。
【図８】回転体の傾斜面有無に対するカバーの形状を説明するための図。
【図９】Ａはこの発明による複合操作型入力装置の第２の実施例を示す断面図、Ｂはその動作を説明するための断面図。
【図１０】図９に示した複合操作型入力装置を分解して上方から見た斜視図。
【図１１】図９に示した複合操作型入力装置の組み立てを説明するための図。
【図１２】図９に示した複合操作型入力装置の組み立てを説明するための図。
【図１３】感触用バネの他の構成例を説明するための図。
【図１４】この発明による複合操作型入力装置の第３の実施例におけるプッシャの形状を示す斜視図。
【図１５】この発明による複合操作型入力装置の第３の実施例におけるベースの形状を示す斜視図。
【図１６】この発明による複合操作型入力装置の第３の実施例の組み立てを説明するための図。
【図１７】この発明による複合操作型入力装置の第３の実施例の組み立てを説明するための図。
【図１８】複合操作型入力装置の従来構成例を示す断面図。
【図１９】図１８に示した複合操作型入力装置を分解して上方から見た斜視図。
【発明を実施するための形態】
【００２６】
この発明の実施形態を図面を参照して実施例により説明する。
【００２７】
図１はこの発明による複合操作型入力装置の第１の実施例の外観を示したものであり、図２はその断面構造を示したものである。また、図３及び４は各部に分解してそれぞれ上方及び下方より見た状態を示したものである。まず、図３及び４を参照して各部の構成について説明する。
【００２８】
この例では複合操作型入力装置は、所定の電極パターン及び固定接点が形成されたベース１１と、可動接点１２と、押えシート１３と、プッシャ１４と、接点部材１５と、感触用のバネ１６と、回転体１７と、カバー１８と、ボタン１９と、操作部材２０とによって構成されている。
【００２９】
ベース１１は方形の角が大きく取られて八角形状をなすものとされ、中央には円筒状をなす軸部１１ａが突設されている。軸部１１ａの内周面には中心方向に突出する２つの突部１１ｂが互いに対向して突出形成されている。ベース１１はその周縁に周壁部１１ｃを備えており、周壁部１１ｃの外側面には係止爪１１ｄが４箇所に突出形成されている。
【００３０】
周壁部１１ｃの内側面は軸部１１ａと同心の円筒面とされており、周壁部１１ｃには周辺スイッチ配置用の４つの収容部１１ｅが内側面から切り欠かれて円周上に９０°間隔で形成されている。また、隣り合う収容部１１ｅ間の周壁部１１ｃの一対の対向部には円弧状の溝１１ｆが、その両端が収容部１１ｅに開口して形成されている。溝１１ｆの延伸方向中間部には溝幅が広げられてなる方形状の凹部１１ｇがそれぞれ形成されている。さらに、周壁部１１ｃの他の一対の対向部の一方にはバネ１６を収容するための収容部１１ｈが形成されており、収容部１１ｈは切り欠き１１ｉによりベース１１の中央側に開口されている。
【００３１】
収容部１１ｅの底面は略長円形とされ、ベース１１の内部底面１１ｊより１段低くされており、またこの収容部１１ｅと同様の形状を有する中央スイッチ配置用の段部１１ｋが軸部１１ａ内のベース１１の内部底面１１ｊに１段低くされて形成されている。収容部１１ｅには周辺スイッチ用の固定接点２１ａ，２１ｂが形成されており、段部１１ｋには中央スイッチ用の固定接点２２ａ，２２ｂが形成されている。
【００３２】
一方、軸部１１ａの回りの円周上には電極パターンが形成され、この電極パターンによってロータリエンコーダ用接点２３が形成されている。このロータリエンコーダ用接点２３が位置する環状部もベース１１の内部底面１１ｊに対して１段低くされている。
【００３３】
固定接点２１ａ，２１ｂ，２２ａ，２２ｂ及びロータリエンコーダ用接点２３はこの例では金属板がインサート成形されて形成されており、これら固定接点２１ａ，２１ｂ，２２ａ，２２ｂ及びロータリエンコーダ用接点２３から導出された端子がベース１１の周壁部１１ｃ及び底面に位置されている。周壁部１１ｃの各辺の中央に位置する端子は周辺スイッチ用の端子２４ａとされ、３つの端子が位置する２辺のうち、一方の辺の両端の端子はロータリエンコーダ用の端子２４ｂとされる。また、他方の辺の両端の端子は中央スイッチ用の端子２４ｃ及びＧＮＤ端子２４ｄとされる。
【００３４】
金属ドームよりなる可動接点１２は、この例ではその外形形状が収容部１１ｅ及び段部１１ｋの形状と対応する略長円形とされている。
【００３５】
プッシャ１４はこの例では２つのプッシャ１４が細い連結部１４ａによって連結された構成とされ、円弧状に延伸された連結部１４ａの中間には係合ブロック１４ｂが形成されている。プッシャ１４はブロック状とされ、連結部１４ａの円弧の中心に向く側の上面には段部１４ｃが１段低くされて形成されている。また、下面には突起１４ｄが形成されている。
【００３６】
接点部材１５はリング形状とされ、その周方向３箇所には摺動子１５ａが切り起こされて形成されている。また、穴１５ｂが３箇所に形成されている。
【００３７】
回転体１７は円筒部１７ａと、その一端側に形成されたフランジ部１７ｂとよりなり、フランジ部１７ｂの外周面には凹凸１７ｃが周方向に配列されて形成されている。円筒部１７ａの上端側には周方向３箇所に係合部１７ｄが形成されており、さらにこれら係合部１７ｄ間に位置して周方向３箇所に係止部１７ｅが形成されている。係合部１７ｄは円筒部１７ａの内周面側が切り欠かれて形成されており、係止部１７ｅは円筒部１７ａの外周面側が切り欠かれて形成されている。係止部１７ｅにはその高さ方向中間に段部１７ｆが形成されている。
【００３８】
回転体１７の下面には周縁部を除いて浅い段部１７ｇが円環状に形成されている。この段部１７ｇには接点部材１５の穴１５ｂに対応して３つのボス１７ｈが突出形成されており、各ボス１７ｈ間に位置するように３つの凹部１７ｉが形成されている。これら凹部１７ｉは接点部材１５の摺動子１５ａの先端部の位置と対応して形成されており、傾倒操作時に摺動子１５ａ先端部が回転体１７に接触しないようにする逃げとして機能する。なお、段部１７ｇに形成されている３つの穴１７ｊは係止部１７ｅとそれぞれ連通されている。
【００３９】
この回転体１７の円筒部１７ａのフランジ部１７ｂが形成されている一端側の開口部１７ｋの径は、上方（一端と反対の他端側）に向って徐々に拡径されており（図２参照）、開口部１７ｋは軸方向にテーパ形状をなすものとされている。また、図２でわかるようにフランジ部１７ｂの上面は外周側に向って下がる傾斜面１７ｍとされている。
【００４０】
カバー１８はベース１１の形状と対応する八角形状の平板部１８ａを有し、平板部１８ａの中央には円形の開口１８ｂが形成されている。各辺には折り曲げ部が設けられており、ベース１１の係止爪１１ｄが形成されている辺と対応する辺には係止爪１１ｄと係合する係止窓１８ｃを有する係止部１８ｄが折り曲げ形成されている。また、残る４辺の折り曲げ部１８ｅのうち、対向する２辺の折り曲げ部１８ｅにはその先端に幅狭の延長部１８ｆが延長形成されている。
【００４１】
ボタン１９は円筒状とされ、その閉塞された一端が押圧操作面１９ａを構成している。押圧操作面１９ａと反対面側の中央には押圧突起１９ｂが突出形成されている。また、ボタン１９の軸方向中間部には大径部１９ｃが形成されており、この大径部１９ｃより下方は大径部１９ｃより上方に比べ、やや小径とされており、この小径部１９ｄの外周面の互いに１８０°をなす位置にはベース１１の軸部１１ａ内の突部１１ｂと係合する凹部１９ｅが形成されている。
【００４２】
操作部材２０は中央に開口２０ａを有するドーナツ形状とされ、操作面２０ｂを構成する上面には放射状に多数の微小凸部２０ｃが形成されている。操作面２０ｂの周縁には周壁部２０ｄが形成されており、周壁部２０ｄの下端側にはさらにフランジ部２０ｅが形成されている。操作面２０ｂと反対面側には回転体１７の３箇所の係合部１７ｄと対応して３つの係合片２０ｆが突設され、さらに回転体１７の３箇所の係止部１７ｅと対応して３つの係止片２０ｇが突設されている。係止片２０ｇの先端には操作部材２０の中心側に向く係止爪２０ｈが形成されている。
【００４３】
以下、各部の組み立てについて図５も参照して説明する。
【００４４】
まず、ベース１１の４つの収容部１１ｅ及び段部１１ｋに可動接点１２をそれぞれ配置する。可動接点１２と固定接点２１ａ，２１ｂとによってベース１１上に周辺スイッチ２１が構成され、可動接点１２と固定接点２２ａ，２２ｂとによってベース１１上に中央スイッチ２２が構成される。これら周辺スイッチ２１及び中央スイッチ２２はそれぞれ可動接点１２がクリック反転することによってＯＮ／ＯＦＦ動作する。中央スイッチ２２の可動接点１２上には押えシート１３が配置され、押えシート１３によって可動接点１２は段部１１ｋ内に位置決めされる。
【００４５】
次に、プッシャ１４を配置する。図５Ａはこの状態を示したものであり、２つのプッシャ１４を連結する連結部１４ａをベース１１の溝１１ｆに入れ、連結部１４ａの中間に形成されている係合ブロック１４ｂをベース１１の凹部１１ｇに嵌め込むことによって連結部１４ａ両端のプッシャ１４がそれぞれ周辺スイッチ２１上に位置され、下面の突起１４ｄが可動接点１２と当接される。
【００４６】
接点部材１５は回転体１７に取り付けられる。取り付けは接点部材１５の３つの穴１５ｂに回転体１７のボス１７ｈを挿入し、ボス１７ｈの先端を熱カシメすることによって行われる。接点部材１５は回転体１７の下面に形成されている段部１７ｇに位置される。
【００４７】
次に、接点部材１５を取り付けた回転体１７を図５Ｂに示したようにベース１１に組み込む。組み込みは回転体１７の開口部１７ｋにベース１１の軸部１１ａを挿通させることによって行われる。回転体１７のフランジ部１７ｂの外周側はプッシャ１４の段部１４ｃ上に位置される。
【００４８】
次に、バネ１６がベース１１の収容部１１ｈに収容される。バネ１６はこの例では両端が延ばされたコイルバネとされており、図５Ｂに示したようにコイル部が切り欠き１１ｉから突出し、回転体１７のフランジ部１７ｂ外周面の凹凸１７ｃに係合して弾接するように配置される。このバネ１６と凹凸１７ｃによってディテント機構が構成される。なお、バネ１６はベース１１の収容部１１ｈに突設されている突部１１ｍによって抜け止めされる。
【００４９】
次に、図５Ｃに示したようにカバー１８が取り付けられる。カバー１８はベース１１の上方からベース１１に被せられ、４つの係止部１８ｄの係止窓１８ｃにベース１１の係止爪１１ｄがそれぞれ位置されてベース１１に固定される。回転体１７はベース１１の周壁部１１ｃの上面側に位置するカバー１８の平板部１８ａによって抜け止めされ、その円筒部１７ａが平板部１８ａに設けられている開口１８ｂに位置される。
【００５０】
次に、開口１８ｂから突出している回転体１７の円筒部１７ａ内にボタン１９が入れ込まれ、操作部材２０が回転体１７に取り付けられる。操作部材２０の取り付けは３つの係合片２０ｆを回転体１７の円筒部１７ａに形成されている係合部１７ｄにそれぞれ係合させ、３つの係止片２０ｇを円筒部１７ａに形成されている係止部１７ｅにそれぞれ係合させ、係止爪２０ｈを係止部１７ｅに形成されている段部１７ｆに係止させることによって行われ、これにより操作部材２０と回転体１７が一体化され、図１及び２に示した複合操作型入力装置が完成する。
【００５１】
ボタン１９はその大径部１９ｃが操作部材２０によって抜け止めされて操作部材２０の開口２０ａに位置され、その押圧突起１９ｂが中央スイッチ２２の可動接点１２上の押えシート１３に当接される。なお、ボタン１９の凹部１９ｅはベース１１の軸部１１ａ内の突部１１ｂと係合される。接点部材１５の３つの摺動子１５ａは、その先端がロータリエンコーダ用接点２３と接触され、これら摺動子１５ａとロータリエンコーダ用接点２３とでロータリエンコーダが構成される。
【００５２】
一方、回転体１７のフランジ部１７ｂ上面の傾斜面１７ｍは、図２に示したようにカバー１８の平板部１８ａと対向し、外周側に向って平板部１８ａから徐々に離れるものとなっており、図２中、点Ｐで示した内周側において平板部１８ａと当接されている。これにより、フランジ部１７ｂの傾斜面１７ｍとカバー１８の平板部１８ａとの間には断面くさび状のスペース（隙間）Ｓ１が確保されている。
【００５３】
上記のような構成とされた複合操作型入力装置では操作部材２０が回転操作されると、接点部材１５が取り付けられている回転体１７が一体に回転し、摺動子１５ａがロータリエンコーダ用接点２３上を移動する。この移動を電気的に検出することによって操作部材２０の回転が検出される。
【００５４】
ボタン１９が押し込まれると、その押圧突起１９ｂによって中央スイッチ２２の可動接点１２が押圧操作されて中央スイッチ２２がＯＮとなる。押圧が解除されると、可動接点１２の復元力によってボタン１９は元の位置に復帰し、中央スイッチはＯＦＦとなる。
【００５５】
一方、操作部材２０の操作面２０ｂを押し、傾倒操作することにより、その傾倒側の周辺スイッチ２１を操作することができ、図６はこの状態を示したものである。この例では上述したようにベース１１の軸部１１ａの周面と対向する回転体１７の開口部１７ｋの径が上方に向って徐々に拡径されて、図２に示すように軸部１１ａと開口部１７ｋとの間に断面くさび状のスペース（隙間）Ｓ２が確保され、かつ回転体１７のフランジ部１７ｂとカバー１８との間にも同様のスペースＳ１が確保されているため、回転体１７の傾倒動作が可能となっている。従って、回転体１７は操作部材２０と一体に傾倒し、これによりプッシャ１４を介して周辺スイッチ２１の可動接点１２が図６に示したように押圧操作されて周辺スイッチ２１がＯＮとなる。
【００５６】
操作部材２０への押圧力を解除すると、可動接点１２の復元力によってプッシャ１４、回転体１７及び操作部材２０は元の位置に復帰し、周辺スイッチ２１はＯＦＦとなる。
【００５７】
このように、この例では回転体１７の傾倒動作に必要なスペースＳ１，Ｓ２を確保したことにより、従来のように弾性腕を備えた操作体を用いることなく、回転体１７と一体化されている操作部材２０を傾倒操作することができる。よって、従来必要としていた操作体が不要となる分、薄型化を図ることができ、また部品点数を削減することができる。
【００５８】
図７Ａは上述した複合操作型スイッチの一半部の断面構造を示したものであり、図７Ｂは操作部材２０の操作面２０ｂの図示していない反対側が押され、操作部材２０及び回転体１７の図示している側が上方へ変位した（浮き上がった）状態を示したものである。また、図７Ｃは操作部材２０の操作面２０ｂの図示している側が押された状態を示したものである。
【００５９】
図７Ｂに示したように操作部材２０が傾倒操作された際、その操作側と反対側においては回転体１７のフランジ部１７ｂはその傾斜面１７ｍの外周側がカバー１８の平板部１８ａと当接するまで、つまりスペースＳ１がなくなるまで傾倒する。言い換えれば、それ以上の傾倒がカバー１８によって阻止されるため、回転体１７が必要以上に傾倒することを防止することができ、かつ回転体１７と一体化されている操作部材２０の過大な浮き上がりを防止することができる。
【００６０】
なお、回転体１７のフランジ部１７ｂの傾斜面１７ｍとカバー１８の平板部１８ａとが当接している当接部Ｐは、操作部材２０が回転操作された際、回転体１７とカバー１８との摺動部となり、また操作部材２０が傾倒操作された際には傾倒する回転体１７の支点となる。
【００６１】
図８Ａは上述したようにフランジ部１７ｂの上面が傾斜面１７ｍとされている回転体１７とカバー１８の関係を示したものであり、図８Ｂは傾斜面１７ｍがない場合の回転体１７’とカバー１８''の関係を示したものである。
【００６２】
回転体１７の回転動作時には摺動摩擦力を抑え、なめらかな回転が得られるように、カバー１８と回転体１７とは面接触していない構造が望ましく、図８Ａではそれが実現できている。これに対し、傾斜面１７ｍのない回転体１７’では面接触を避けるべく、図８Ｂに示したように例えばカバー１８''に突起１８ｈを設ける必要がある。また、突起１８ｈを設ける分、図８Ａに比し、薄型化が阻害される。
【００６３】
なお、この例では可動接点１２の形状を略長円形とし、その長手方向がベース１１の辺（周壁部１１ｃ）に沿うように配置しており、このような構成を採用したことにより、例えば可動接点の形状を円形とした場合と比べてベース１１の小型化を図ることができるものとなっている。
【００６４】
次に、この発明による複合操作型入力装置の第２の実施例について説明する。図９Ａは第２の実施例の断面構造を示したものであり、図９Ｂは操作部材が傾倒操作された状態を示したものである。また、図１０は各部に分解して示したものである。
【００６５】
前述した第１の実施例では操作部材２０を傾倒操作した際、プッシャ１４は回転体１７によって押圧されるものとなっていたが、この第２の実施例ではプッシャ１４’は操作部材２０によって直接押圧される。
【００６６】
プッシャ１４’はこの例では図１０に示したようにその上面側にも突起１４ｅを有するものとされ、この突起１４ｅに対応してカバー１８’の平板部１８ａには穴１８ｇが４つ形成されている。プッシャ１４’の突起１４ｅは図９Ａに示したように穴１８ｇを挿通して外部（カバー１８’の平板部１８ａ上）に突出し、この突起１４ｅ上に操作部材２０のフランジ部２０ｅが位置される。
【００６７】
このような構成により、操作部材２０を傾倒操作すると、プッシャ１４’は操作部材２０のフランジ部２０ｅによって図９Ｂに示したように押圧され、これにより周辺スイッチ２１の可動接点１２が押圧操作される。なお、回転体１７のフランジ部１７ｂとプッシャ１４’が干渉（接触）しないように、プッシャ１４’は回転体１７の径方向において幅狭とされ、つまり第１の実施例のプッシャ１４に対し、可動接点１２の中央上に位置する突起１４ｄより径方向内側部分は切除されたような形状とされている。
【００６８】
この第２の実施例では第１の実施例のような回転体１７のフランジ部１７ｂとプッシャ１４との高さ方向における重なり部分は存在しないため、その分回転体１７をベース１１に近づけることができ、つまり薄型化をさらに図ることが可能となる。
【００６９】
図１１Ａは第２の実施例におけるベース１１の構成を示したものであり、このベース１１は図３に示した第１の実施例のベース１１と同じ構成である。なお、図１１Ａでは固定接点２１ａ，２１ｂ，２２ａ，２２ｂ及びロータリエンコーダ用接点２３にハッチングを付して示している。
【００７０】
図１１Ｂはベース１１に可動接点１２が配置された状態を示したものであり、図１１Ｃはロータリエンコーダ用接点２３に対向配置される接点部材１５の配置関係を示したものである。
【００７１】
図１２Ａはベース１１にプッシャ１４’，接点部材１５を保持した回転体１７及びバネ１６が組み込まれた状態を示したものであり、図１２Ｂはカバー１８’が取り付けられた状態を示したものである。最後に、ボタン１９及び操作部材２０を第１の実施例と同様に取り付けることにより、図１２Ｃに示した複合操作型入力装置が完成する。
【００７２】
上述した実施例では回転体１７のフランジ部１７ｂの凹凸１７ｃと係合してディテント機構を構成するバネ１６として、図１３Ｂに示したようにコイルバネを用いるものとなっているが、バネ１６はこれに限らず、図１３Ａに示したように板バネを用いてもよい。
【００７３】
次に、この発明による複合操作型入力装置の第３の実施例について説明する。
【００７４】
この例ではプッシャ１４''−１は図１４Ａに示したような形状とされ、連結部によって２つが連結されていない単体構造とされる。このプッシャ１４''−１は第１の実施例におけるプッシャ１４と同様、段部１４ｃと突起１４ｄ（図１４Ａでは隠れて見えない）を備えており、さらに第２の実施例におけるプッシャ１４’と同様、突起１４ｅを備えている。また、互いに外向きに形成された２本の軸１４ｆを備えている。なお、突起１４ｅは軸１４ｆより内側（中央スイッチ２２側）に設けられている。
【００７５】
このプッシャ１４''−１が配置されるベース１１’は図１５に示したような形状とされ、周辺スイッチ２１の可動接点１２を配置する収容部１１ｅの側壁には互いに対向して２つの軸受部１１ｎが形成されている。プッシャ１４''−１はその軸１４ｆが軸受部１１ｎに軸支されて図１６に示したように配置される。
【００７６】
図１７Ａはベース１１’に接点部材１５を保持した回転体１７及びバネ１６が組み込まれた状態を示したものであり、図１７Ｂはさらにカバー１８’が取り付けられた状態を示したものである。図１７Ｃはボタン１９及び操作部材２０が取り付けられて組み立てが完了した状態を示したものである。
【００７７】
この例ではプッシャ１４''−１は段部１４ｃが操作部材２０と一体に傾倒した回転体１７のフランジ部１７ｂによって押圧されると、軸１４ｆを中心に回動するものとなっており、この回動によって可動接点１２が押圧操作される。また、同様に、突起１４ｅが操作部材２０によって押圧されると、軸１４ｆを中心に回動するものとなっており、この回動によって可動接点１２が押圧操作される。この時、突起１４ｅは軸１４ｆを中心に回動するため、カバー１８’の穴１８ｇは図１７Ｂに示したように内側に向けて長穴であることが望ましい。
【００７８】
なお、図１４Ａに示したプッシャ１４''−１に替え、図１４Ｂや図１４Ｃに示したようなプッシャ１４''−２，１４''−３を用いることもできる。図１４Ｂに示したプッシャ１４''−２は回転体１７のフランジ部１７ｂによって押圧される段部１４ｃを備えたものであり、図１４Ｃに示したプッシャ１４''−３は操作部材２０によって押圧される突起１４ｅを備えたものとなっている。
【００７９】
以上説明した実施例ではいずれもボタンによって押下操作される中央スイッチを具備しているが、用途に応じて中央スイッチのない構成としてもよい。
【符号の説明】
【００８０】
１１，１１’  ベース                  １１ａ  軸部
１１ｃ  周壁部                        １１ｅ  収容部
１２  可動接点                        １３  押えシート
１４，１４’，１４''−１，−２，−３  プッシャ        １５  接点部材
１６  バネ                            １７，１７’  回転体
１７ａ  円筒部                        １７ｂ  フランジ部
１７ｃ  凹凸                          １７ｋ  開口部
１７ｍ  傾斜面                        １８，１８’ ，１８''  カバー
１８ａ  平板部                        １８ｂ  開口
１９  ボタン                          ２０  操作部材
２０ｂ  操作面                        ２１  周辺スイッチ
２１ａ，２１ｂ  固定接点              ２２  中央スイッチ
２２ａ，２２ｂ  固定接点              ２３  ロータリエンコーダ用接点
Ｐ  当接部                            Ｓ１，Ｓ２  スペース
【図１】
2011210528.tif 000003
【図２】
2011210528.tif 000004
【図３】
2011210528.tif 000005
【図４】
2011210528.tif 000006
【図５】
2011210528.tif 000007
【図６】
2011210528.tif 000008
【図７】
2011210528.tif 000009
【図８】
2011210528.tif 000010
【図９】
2011210528.tif 000011
【図１０】
2011210528.tif 000012
【図１１】
2011210528.tif 000013
【図１２】
2011210528.tif 000014
【図１３】
2011210528.tif 000015
【図１４】
2011210528.tif 000016
【図１５】
2011210528.tif 000017
【図１６】
2011210528.tif 000018
【図１７】
2011210528.tif 000019
【図１８】
2011210528.tif 000020
【図１９】
2011210528.tif 000021